(57)【要約】【課題】  紙幣を反転させても搬送ピッチにバラツキを生じることなく、良好に搬送できるようにする。【解決手段】  表裏反転機構２２は、反転が必要な紙幣を搬送する反転用ルート５１と、反転が不要な紙幣を搬送する正転用ルート５２と、反転及び正転用ルート５１，５２の紙葉類導入側の端部間に設けられ、正逆回転して紙幣を挟持搬送する反転ローラ５５及び搬送ピンチローラ５７とを具備し、反転ローラ５５及び搬送ピンチローラ５７は、紙幣の反転が不要と判別されるのに基づいて正回転することにより紙幣を正転用ルート５２に搬送し、紙幣の反転が必要と判別されるのに基づいて紙幣を挟持した時点で一時的に停止したのち、逆回転して反転用ルート５１に搬送して反転させる。【選択図】      図３
2005343575.tif 000002
【特許請求の範囲】
【請求項１】
紙葉類を搬送する搬送手段と、
この搬送手段によって搬送される紙葉類を反転すべきか否かを判別する判別手段と、
この判別手段の判別結果に応じて前記紙葉類を反転させる反転手段と具備し、
前記反転手段は、
反転が必要な紙葉類を搬送する反転用ルートと、
反転が不要な紙葉類を搬送する正転用ルートと、
前記反転及び正転用ルートの紙葉類導入側の端部間に設けられ、正逆回転して前記紙葉類を挟持搬送する搬送ローラ対とを具備し、
前記搬送ローラ対は、紙葉類の反転が不要と判別されるのに基づいて正回転することにより紙葉類を前記正転用ルートに搬送し、紙葉類の反転が必要と判別されるのに基づいて紙葉類を挟持した時点で一時的に停止したのち、逆回転して前記反転用ルートに搬送して反転させることを特徴とする紙葉類処理装置。
【請求項２】
前記搬送ローラ対により挟持されて一時的に停止される紙葉類の搬送方向後端側の向きを前記反転ルートの方向に変更する変更手段を備えることを特徴とする請求項１記載の紙葉類処理装置。
【請求項３】
前記変更手段は、紙葉類の搬送方向後端部側を叩く叩き車であることを特徴とする請求項２記載の紙葉類処理装置。
【請求項４】
前記反転及び正転用ルートの紙葉類搬出側の端部は合流部で合流されることを特徴とする請求項１記載の紙葉類処理装置。
【請求項５】
前記紙葉類は紙幣であることを特徴とする請求項１記載の紙葉類処理装置。
【発明の詳細な説明】
【技術分野】
【０００１】
本発明は、例えば、紙幣をその金種などに応じて区分排出し、或いは、紙幣を所定枚数ずつ結束する紙葉類処理装置に関する。
【背景技術】
【０００２】
この種の紙葉類処理装置は、載置部に紙幣を複数枚積層状態でセットし、このセットした紙幣を一枚ずつ取込んで搬送し、その金種、真偽、表裏の向きなど鑑査部で判別し、この判別結果に基づいて紙幣を複数の排出部に区分して排出し、或いは、鑑査した紙幣を結束部に搬送して所定枚数ずつ結束材で結束処理するものがある（例えば、特許文献１参照。）。
【０００３】
ところで、鑑査部で紙幣の表裏の向きが逆向きであると判別された場合には、反転機構において紙幣の表裏が反転されるようになっている。
【０００４】
この反転機構は、正転用ルートと反転用ルートを備え、反転が不要な場合には正転用ルートに送り込んで搬送し、反転が必要な場合には反転用ルートに送込んで搬送することにより反転させるようになっている。
【特許文献１】特開平８−２３５４０６号公報
【発明の開示】
【発明が解決しようとする課題】
【０００５】
しかしながら、従来においては、切替えゲートによって紙葉類を正転用ルート或いは反転用ルートに案内していたため、この紙幣のルート切替時に、紙幣が一時的にフリーな状態になっていた。このため、紙幣の搬送速度にバラツキが発生し、紙幣を所定の搬送ピッチで搬送できなくなるという問題があった。
【０００６】
本発明は上記事情に着目してなされたもので、その目的とするところは、紙葉類を反転させても所定の搬送ピッチで良好に搬送できるようにした紙葉類処理装置を提供することにある。
【課題を解決するための手段】
【０００７】
上記課題を解決するため、請求項１記載の発明は、紙葉類を搬送する搬送手段と、この搬送手段によって搬送される紙葉類を反転すべきか否かを判別する判別手段と、この判別手段の判別結果に応じて前記紙葉類を反転させる反転手段と具備し、前記反転手段は、反転が必要な紙葉類を搬送する反転用ルートと、反転が不要な紙葉類を搬送する正転用ルートと、前記反転及び正転用ルートの紙葉類導入側の端部間に設けられ、正逆回転して前記紙葉類を挟持搬送する搬送ローラ対とを具備し、前記搬送ローラ対は、紙葉類の反転が不要と判別されるのに基づいて正回転することにより紙葉類を前記正転用ルートに搬送し、紙葉類の反転が必要と判別されるのに基づいて紙葉類を挟持した時点で一時的に停止したのち、逆回転して前記反転用ルートに搬送して反転させることを特徴とする。
【発明の効果】
【０００８】
本発明によれば、紙葉類を反転させる場合でも、紙葉類の搬送ピッチにバラツキを生じることがなく、所定ピッチで良好な搬送が可能になる。
【発明を実施するための最良の形態】
【０００９】
以下、本発明を図面に示す実施の形態を参照して詳細に説明する。  
図１は本発明の一実施の形態である紙葉類処理装置としての紙幣整理機の外観を示すものである。
【００１０】
図１中１は装置本体で、この装置本体１の一側上部側には紙葉類としての紙幣Ｐを各金種混合状態で積層載置する載置部２が設けられている。この載置部２に載置された紙幣Ｐはその下部側のものから後述する取込ローラにより取込まれるようになっている。装置本体１の前部側上面部には、横方向に並列に第１乃至第３の排出部３ａ〜３ｃが配設されている。これら第１乃至第３の排出部３ａ〜３ｃには、金種別に紙幣が区分排出される。第１の排出部３ａには、例えば、千円紙幣、第２の排出部３ｂには一万円紙幣、第３の排出部３ｃには５千円紙幣が排出される。
【００１１】
装置本体１の後部側上面部には、操作部４及び表示部５が設けられている。操作部４は、例えば、計数分類処理モード、或いは、結束処理モードを選択的に設定できるようになっている。
【００１２】
図２は、紙幣整理機の内部構成を概略的に示すものである。
【００１３】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（搬送手段）１１に沿って搬送される。この第１の搬送経路１１の中途部には紙幣Ｐの金種、表裏、真偽等を識別する判別手段としての識別部１２が設けられている。
【００１４】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１５】
一方、上記した第３の搬送経路１５の紙幣搬送方向下流側には後で詳しく述べる反転手段としての表裏反転機構２２が接続されている。表裏反転機構２２で表裏が揃えられた紙幣は第４の搬送経路２４を介して集積部２６に搬送されて集積されるようになっている。集積部２６には紙幣Ｐが所定枚数、例えば１００枚集積される。
【００１６】
集積部２６の下方部には、集積紙幣を施封部３０へ搬送する搬送機構２８が設けられている。搬送機構２８は複数のローラ４３間に掛け渡されて走行する搬送ベルト４４を備え、この搬送ベルト４４の上面部に集積紙幣を載置して搬送するようになっている。
【００１７】
施封部３０は、搬送ベルト４４によって搬送されてくる集積紙幣を上下からクランプして受取るクランプ部材（図示しない）と、このクランプ部材間に挾持される紙幣Ｐに結束テープ３６を巻付けるテープ巻付け機構３３と、結束テープ３６を所定の長さに切断するカッタ３４と、結束テープ３６の重合端部を熱接着するヒータ３５等を備えている。テープ巻付け機構３３は一対の巻付けアーム４６を回動自在に備えている。
【００１８】
結束テープ３６は供給リール３７から供給ルート３８に沿って供給され、供給ルート３８の中途部には結束テープ３６に銀行の支店名、処理の日付け、通番等を印字する印字部４０が設けられている。印字部４０は印字ヘッド４１とこの印字ヘッド４１に対向するプラテンローラ４２を備えている。
【００１９】
次に、上記した紙幣整理機の処理動作について説明する。
【００２０】
まず、装置本体１の載置部２に混合金種の紙幣Ｐを積層状態で載置し、操作部４によって、計数分類処理モード或いは、結束処理モードを設定する。
【００２１】
この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００２２】
操作部４によって、例えば、計数分類処理モードが設定された場合には、識別された紙幣は第２の搬送経路１４を介して第１乃至第３の排出部３ａ〜３ｃに向かって搬送される。識別された紙幣が例えば千円券である場合には、第１の振分ゲート１７の動作により、第１の排出ローラ対２０ａに送られ、この第１の排出ローラ対２０ａの回転により、第１の排出部３ａに排出される。識別された紙幣が例えば万円券である場合には、第２の振分ゲート１８の動作により、第２の排出ローラ対２０ｂに送られ、この第２の排出ローラ対２０ｂの回転により、第２の排出部３ｂに排出される。識別された紙幣が例えば五千円券である場合には、第３の排出ローラ対２０ｃに送られ、この第３の排出ローラ対２０ｃの回転により、第３の排出部３ｃに排出される。
【００２３】
なお，第１乃至第３の排出部３ａ〜３ｃに排出される紙幣以外の紙幣（例えば２枚重なり紙幣、連鎖紙幣、偽紙幣等の識別不能紙幣、分類金種紙幣以外の金種紙幣）はリジェクト紙幣としてリジェクト部（図示しない）へ排出される。
【００２４】
また、操作部４によって、結束処理モードが設定された場合には、予め結束する紙幣の金種を指定しておくと、指定金種の紙幣は切替ゲート１３を介して第３の搬送経路１５へ送られ、いずれの排出部３ａ〜３ｃへも排出されずに表裏反転機構２２に送られる。この表裏反転機構２２に送られた紙幣は後で詳しく述べるように一方の面に揃えられたのち第４の搬送経路２４を介して集積部２６に送り込まれる。
【００２５】
このとき、指定された金種以外の紙幣は計数分類処理モード時と同様に第１乃至第３の排出部３ａ〜３ｃに排出される。
【００２６】
集積部２６に所定枚数（例えば１００枚）の紙幣が集積されると、集積部２６から搬送ベルト４４上に移載される。この移載された集積紙幣は搬送ベルト４４の走行により施封部３０に搬送され図示しない挾持片により挾持される。また、このとき、供給リール３７から結束テープ３６が供給され、この結束テープ３６の表面には印字部４０により銀行の支店名、処理の日付け、通番等が印字される。この結束テープ３６は所定長さ送り出されると、カッタ３４により切断されたのち、一対の巻付アーム４６の回動により、集積紙幣の囲りに巻付けられる。この巻付け後、結束テープ３６の両端重合部にヒータ３５が押し付けられて加熱される。これにより結束テープ３６が接着されて結束され、この結束された紙幣把は収納部に放出されて収納されることになる。
【００２７】
図３は、上記した表裏反転機構２２を示すものである。
【００２８】
この表裏反転機構２２は、上部側に反転ルート５１、下部側に正転ルート５２を備えている。反転ルート５１の紙幣導入側には紙幣反転時に用いられる変更手段としての叩き車５４が設けられている。
【００２９】
また、反転ルート５１と正転ルート５２の紙幣導入側の端部間には、正逆回転する反転ローラ５５が設けられている。反転ローラ５５には反転ピンチローラ５７が転接されて搬送ローラ対が構成されている。反転ルート５１と正転ルート５２の紙幣排出側の端部は、合流部５３で合流されている。
【００３０】
反転ローラ５７の近傍には反転タイミングセンサ５８が設けられている。反転ルート５１の中途部には反転通過センサ６０が設けられ、正転ルート５２の中途部には正転通過センサ６１が設けられている。
【００３１】
次に、表裏反転機構２２の動作について説明する。
【００３２】
まず、紙幣反転機構２２に送込まれる紙幣が、識別部１２で反転させる必要がないものと識別されていた場合には、反転ローラ５５は正転方向（反時計方向）の回転を継続する。これにより、表裏反転機構２２に進入した紙幣Ｐは、反転ローラ５５の正回転によってピンチローラ５７とにより挟持搬送されて正転ルート５２に送込まれ、正転ルート５２に沿って合流部５３へと送られる。
【００３３】
また、表裏反転機構２２に送込まれる紙幣が、識別部１２で反転させる必要があるものと識別されていた場合には、表裏反転機構２２に進入した紙幣Ｐが反転ローラ５５とピンチローラ５７との間に導入されて反転タイミングセンサ５８によって検知されると、反転ローラ５５の正回転が一時的に停止される。そして、反時計回りに回転されている叩き車５４によって紙幣の進入方向後端側が叩かれて反転ルート５１の方向へ向きが変更される。この変更後、反転ローラ５５が逆回転（時計方向）されて紙幣は反転ルート５１に送込まれる。この紙幣は反転ルート５１に沿って搬送されて合流部５３に送られる。通過センサ６０によって紙幣の通過が検知されると、反転ローラ５５が再度、正回転されて後続の紙幣処理に備える。
【００３４】
上記したように、この実施の形態によれば、反転ローラ５５とピンチローラ５７とによって紙幣Ｐを挟持し、この紙幣の挟持状態を保ったまま、反転ローラ５５の正、逆回転により反転用或いは正転用搬送ルート５１，５２に紙幣を搬送して紙幣を反転させるため、紙幣搬送方向の切替時に、紙幣がフリーな状態になることがない。従って、紙幣を反転させてもその搬送ピッチにバラツキを生じることがなく、所定ピッチで良好な搬送が可能になる。
【００３５】
なお、本発明は、上記一実施の形態に限られることなく、その要旨の範囲内で種々変形実施可能なことは勿論である。
【図面の簡単な説明】
【００３６】
【図１】本発明の一実施の形態である紙葉類処理装置を示す外観斜視図。
【図２】同紙葉類処理装置の内部構成を示す図。
【図３】同表裏反転機構を示す構成図。
【符号の説明】
【００３７】
Ｐ…紙幣（紙葉類）、１１…第１の搬送経路（搬送手段）、１２…鑑別部（判別手段）、１５…第３の搬送経路（搬送手段）、２２…表裏反転機構（反転手段）、５１…反転用ルート、５２…正転用ルート、５３…合流部、５４…叩き車（変更手段）、５５…反転ローラ（搬送ローラ対）、５７…反転ピンチローラ（搬送ローラ対）。
【図１】
2005343575.tif 000003
【図２】
2005343575.tif 000004
【図３】
2005343575.tif 000005